【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
入出力部と、動画像を記録するための記録媒体とを有する画像記録装置であって、
前記入出力部を介して接続された外部機器から入力される動画像データを記録媒体に記録する手段と、
前記記録媒体に動画像データを記録する際に欠落が生じたことを検出する手段と、
前記外部機器に対して欠落の有無を通知するための制御データを送信する手段とを備えたことを特徴とする画像記録装置。
【請求項２】
前記制御データを、欠落を検出したときに前記外部機器に送信することを特徴とする請求項１に記載の画像記録装置。
【請求項３】
前記制御データを、あらかじめ定められた一定時間ごとに前記外部機器に送信することを特徴とする請求項１に記載の画像記録装置。
【請求項４】
前記制御データは欠落したデータ量を示す情報を含むことを特徴とする請求項１に記載の画像記録装置。
【請求項５】
前記外部機器から入力される動画像データは前記記録媒体にファイルとして記録されることを特徴とする請求項１に記載の画像記録装置。
【請求項６】
前記外部機器から機器の状態を問い合わせるための制御データを受信したときに応答データを送信する手段を備えたことを特徴とする請求項１に記載の画像記録装置。
【請求項７】
入出力部と、撮影するためのカメラ部とを有し、前記カメラ部で撮影した動画像データを前記入出力部を介して接続された外部機器に送信する撮像装置であって、
情報を表示するための表示装置と、
前記外部機器から記録媒体に動画像データを記録する際に欠落が生じたという欠落の有無を通知するための制御データを受信して、欠落が生じたことを検出した場合、前記表示装置に欠落を示す情報を表示する手段とを備えたことを特徴とする撮像装置。
【請求項８】
前記表示装置に欠落を示す情報を表示した後、あらかじめ定められた一定時間が経過したとき、前記欠落を示す情報の表示を終了することを特徴とする請求項７に記載の撮像装置。
【請求項９】
前記外部機器に機器の状態を問い合わせるための制御データを送信し、前記外部機器から応答データを受信した場合、前記応答データから検出した前記外部機器の状態を前記表示装置に表示することを特徴とする請求項７に記載の撮像装置。
【請求項１０】
前記応答データから検出した外部機器の状態が記録状態の場合、前記外部機器から受信した欠落の有無を通知するための制御データから欠落が生じていないことを検出した場合には、前記外部機器の状態として前記表示装置に第一の記録状態を示す表示を行い、前記外部機器から受信した欠落の有無を通知するための制御データから欠落が生じたことを検出した場合には、前記外部機器の状態として前記表示装置に第二の記録状態を示す表示を行うことを特徴とする請求項９に記載の撮像装置。
【請求項１１】
入出力部と、動画像データを記録するための記録媒体と、前記記録媒体に記録された動画像データを再生するための再生手段とを有する画像記録再生装置であって、
前記入出力部を介して接続された外部機器から入力される動画像データを前記記録媒体に記録する手段と、
前記記録媒体に動画像データを記録する際に欠落が生じたことを検出する手段と、
前記欠落動画像データの情報を表示装置に表示する手段と、
前記表示された欠落動画像データの情報から特定の情報を選択する手段とを備え、
前記選択された情報に対応する位置から前記記録媒体に記録された動画像データの再生を開始することを特徴とする画像記録再生装置。
【請求項１２】
前記外部機器から入力される動画像データは前記記録媒体にファイルとして記録されることを特徴とする請求項１１に記載の画像記録再生装置。
【請求項１３】
前記欠落動画像データの情報は前記ファイル中での欠落位置を示す情報であることを特徴とする請求項１２に記載の画像記録再生装置。
【請求項１４】
前記表示された欠落動画像データの情報から特定の情報が選択された場合、前記選択された情報が示すファイル中での欠落位置に対してあらかじめ定められた一定時間前の位置より前記記録媒体に記録された動画像データの再生を開始することを特徴とする請求項１３に記載の画像記録再生装置。
【請求項１５】
前記記録媒体に記録された動画像データの再生中は、現在再生中の位置を示すための再生情報を表示し、前記欠落位置を示す情報を前記再生情報内に表示することを特徴とする請求項１３に記載の画像記録再生装置。
【請求項１６】
前記記録媒体に記録された動画像データの再生中に、現在の再生位置に対して前後の位置に存在する欠落位置に対応する位置より動画像データの再生を行う操作が可能であることを特徴とする請求項１５に記載の画像記録再生装置。
【請求項１７】
入出力部と、動画像を記録するための記録媒体とを有する画像記録装置を制御するためのコンピュータプログラムであって、
前記入出力部を介して接続された外部機器から入力される動画像データを記録媒体に記録する処理と、
前記記録媒体に動画像データを記録する際に欠落が生じたことを検出する処理と、
前記外部機器に対して欠落の有無を通知するための制御データを送信する処理とを実行させることを特徴とするコンピュータプログラム。
【請求項１８】
入出力部と、撮影するためのカメラ部とを有し、前記カメラ部で撮影した動画像データを前記入出力部を介して接続された外部機器に送信する撮像装置を制御するためのコンピュータプログラムであって、
前記外部機器から記録媒体に動画像データを記録する際に欠落が生じたという欠落の有無を通知するための制御データを受信して、欠落が生じたことを検出した場合、表示装置に欠落を示す情報を表示する処理を実行させることを特徴とするコンピュータプログラム。
【請求項１９】
入出力部と、動画像データを記録するための記録媒体と、前記記録媒体に記録された動画像データを再生するための再生手段とを有する画像記録再生装置を制御するためのコンピュータプログラムであって、
前記入出力部を介して接続された外部機器から入力される動画像データを前記記録媒体に記録する処理と、
前記記録媒体に動画像データを記録する際に欠落が生じたことを検出する処理と、
前記欠落動画像データの情報を表示装置に表示する処理と、
前記表示された欠落動画像データの情報から特定の情報が選択されたときに、前記選択された情報に対応する位置から前記記録媒体に記録された動画像データの再生を開始する処理とを実行させることを特徴とするコンピュータプログラム。
【手続補正２】
【補正対象書類名】明細書
【補正対象項目名】０００７
【補正方法】変更
【補正の内容】
【０００７】
本発明の画像記録装置は、入出力部と、動画像を記録するための記録媒体とを有する画像記録装置であって、前記入出力部を介して接続された外部機器から入力される動画像データを記録媒体に記録する手段と、前記記録媒体に動画像データを記録する際に欠落が生じたことを検出する手段と、前記外部機器に対して欠落の有無を通知するための制御データを送信する手段とを備えた点に特徴を有する。
本発明の撮像装置は、入出力部と、撮影するためのカメラ部とを有し、前記カメラ部で撮影した動画像データを前記入出力部を介して接続された外部機器に送信する撮像装置であって、情報を表示するための表示装置と、前記外部機器から記録媒体に動画像データを記録する際に欠落が生じたという欠落の有無を通知するための制御データを受信して、欠落が生じたことを検出した場合、前記表示装置に欠落を示す情報を表示する手段とを備えた点に特徴を有する。
本発明の画像記録再生装置は、入出力部と、動画像データを記録するための記録媒体と、前記記録媒体に記録された動画像データを再生するための再生手段とを有する画像記録再生装置であって、前記入出力部を介して接続された外部機器から入力される動画像データを前記記録媒体に記録する手段と、前記記録媒体に動画像データを記録する際に欠落が生じたことを検出する手段と、前記欠落動画像データの情報を表示装置に表示する手段と、前記表示された欠落動画像データの情報から特定の情報を選択する手段とを備え、前記選択された情報に対応する位置から前記記録媒体に記録された動画像データの再生を開始する点に特徴を有する。
本発明のコンピュータプログラムは、入出力部と、動画像を記録するための記録媒体とを有する画像記録装置を制御するためのコンピュータプログラムであって、前記入出力部を介して接続された外部機器から入力される動画像データを記録媒体に記録する処理と、前記記録媒体に動画像データを記録する際に欠落が生じたことを検出する処理と、前記外部機器に対して欠落の有無を通知するための制御データを送信する処理とを実行させる点に特徴を有する。
本発明の別のコンピュータプログラムは、入出力部と、撮影するためのカメラ部とを有し、前記カメラ部で撮影した動画像データを前記入出力部を介して接続された外部機器に送信する撮像装置を制御するためのコンピュータプログラムであって、前記外部機器から記録媒体に動画像データを記録する際に欠落が生じたという欠落の有無を通知するための制御データを受信して、欠落が生じたことを検出した場合、表示装置に欠落を示す情報を表示する処理を実行させる点に特徴を有する。
本発明の別のコンピュータプログラムは、入出力部と、動画像データを記録するための記録媒体と、前記記録媒体に記録された動画像データを再生するための再生手段とを有する画像記録再生装置を制御するためのコンピュータプログラムであって、前記入出力部を介して接続された外部機器から入力される動画像データを前記記録媒体に記録する処理と、前記記録媒体に動画像データを記録する際に欠落が生じたことを検出する処理と、前記欠落動画像データの情報を表示装置に表示する処理と、前記表示された欠落動画像データの情報から特定の情報が選択されたときに、前記選択された情報に対応する位置から前記記録媒体に記録された動画像データの再生を開始する処理とを実行させる点に特徴を有する。